(57)【特許請求の範囲】
【請求項１】
色を肌にのせて得られる、温感・涼感を示すカラーイメージ指標の軸と、軽快・重厚を示すカラーイメージ指標の軸とからなる座標軸と、リップカラーおよびアイカラーのうちの少なくともいずれか１つのカラーイメージについて二次元的に分類したゾーン表示と、を有することを特徴とするメーキャップカラーイメージマップ。
【請求項２】
前記座標軸によって区画される各象限に、それぞれの象限に位置する代表的なカラーイメージを文言表示したことを特徴とする請求項１記載のメーキャップカラーイメージマップ。
【請求項３】
前記ゾーン表示は、前記リップカラーおよびアイカラーのうちの少なくともいずれか１つについて得られたカラーイメージのアンケート結果を得点集計し、それに基づいてゾーン表示したものであることを特徴とする、請求項１又は２に記載のメーキャップカラーイメージマップ。
【発明の詳細な説明】
【技術分野】
【０００１】
本発明は、顔にメーキャップを施して、すなわち、色を肌にのせて、得られるカラーイメージをマップ表現したメーキャップカラーイメージマップに関する。
【背景技術】
【０００２】
顔のメーキャップは、通常、経験や感覚に基づいて施される場合が多い。しかしながら、各自が自らメーキャップを施す場合、期待したイメージどおりに表現することは必ずしも容易ではない。また、他人の顔にメーキャップを施してイメージを演出する場合には、対象となる顔は千差万別であるため、各人の要望どおりに演出するには、かなりの経験と特殊な感覚を必要とする。
【０００３】
このようなメーキャップによる演出法を理論的に説明する試みもなされている。
【０００４】
例えば、顔の形態が与えるイメージを考慮してメーキャップを演出することが従来より行われている。これは、美術における造形理論を応用したものであり、直線や曲線等の形状毎に平均的、特徴的なイメージが知られている。しかしながら、これをメーキャップに適用した場合、部分的には所望のイメージを得ることができても、顔全体としてみたときに必ずしもバランスのよいイメージが得られるという保証はない。
【０００５】
この顔の形態が与えるイメージを考慮してメーキャップを演出す方法に関して、本出願人は、既に、顔だち分類法および顔だちマップを提案している（特許文献１）。
【０００６】
この顔だち分類法および顔だちマップは、図９に示すように、顔の長さまたは目、眉等の顔の形態要素の配置状態を示すバランス軸と顔の輪郭形状または前記顔の形態要素を示すフォルム軸とからなる座標空間に対象とする顔の位置付けを行うことにより顔だちを分類し、また、このような座標空間からなるマップを作成するものである。
【０００７】
この顔だち分類法および顔だちマップによれば、顔を総合的にとらえ、顔のイメージを生起させる要因を科学的に明らかにし、これに基づいて、効果的なメーキャップの演出を行うことを可能としたものである。
【０００８】
また、例えば、カラーイメージを考慮してメーキャップを演出することも従来より行われている。これは、美術における色彩理論を応用したものであり、例えば、図１０に示すように、各カラーと感情との関係についての平均的な認識に基づくものである。この場合も、顔の形態の場合と同様に、部分的には所望のイメージを得ることができても、顔全体としてみたときに必ずしもバランスのよいイメージが得られるという保証はない。なお、色彩学上カラーを多次元的にとらえたものとして、図１１に示すように、色感覚の三属性を三軸にとった色立体があるが、この色立体からカラーイメージを多次元的にとらえてメーキャップを演出するのに活用した例はない。
【特許文献１】特開平１０−７５８２３号公報
【発明の開示】
【発明が解決しようとする課題】
【０００９】
上記のようにカラーイメージを考慮してメーキャップを演出する方法に関しては、必ずしも効果的な手法を見出せていないのが現状である。
【００１０】
本発明は、この点に鑑みてなされたものであり、色を純粋に扱う色彩学に基づくのではなく、色を肌にのせた顔が与えるメーキャップのカラーイメージを総合的にとらえ、それに基づいてメーキャップによる演出を効果的に行うことができるメーキャップカラーイメージマップを提供することを目的とする。
【課題を解決するための手段】
【００１１】
本発明に係るメーキャップカラーイメージマップは、色を肌にのせて得られる、温感・涼感を示すカラーイメージ指標の軸と、軽快・重厚を示すカラーイメージ指標の軸とからなる座標軸と、リップカラーおよびアイカラーのうちの少なくともいずれか１つのカラーイメージについて二次元的に分類したゾーン表示とを有することを特徴とする。
【００１２】
また、前記座標軸によって区画される各象限に、それぞれの象限に位置する代表的なカラーイメージを文言表示したことを特徴とする。
【発明の効果】
【００１３】
請求項１に係るメーキャップカラーイメージマップによれば、温感・涼感、性格、マインドから選ばれる少なくとも１つを示すカラーイメージ指標と軽快・重厚、成熟・未熟、マチュアーから選ばれる少なくとも１つを示すカラーイメージ指標とを座標軸にとって、リップカラーおよびアイカラーのうちの少なくともいずれか１つを二次元的に分類し、また、請求項２に係るメーキャップカラーイメージマップによれば、座標軸によって区画される各象限に、それぞれの象限に位置する代表的なカラーイメージを文言表示したため、カラーイメージを容易、かつ的確に把握することができ、メーキャップを効果的に演出することが可能となる。
【発明を実施するための最良の形態】
【００１４】
本発明に係るメーキャップカラーイメージマップの好適な実施の形態（以下、本実施の形態例という。）について、図を参照して、以下に説明する。
【００１５】
まず、メーキャップカラーイメージ分類法について、以下説明する。
【００１６】
顔のイメージを演出するためのメーキャップ用化粧品として、リップカラーおよびアイカラーを用い、それぞれのカラーイメージを明らかにするために、以下の実験を行った。
【００１７】
前記した顔だちマップにおいてタイプの異なるモデル３名に、図１、図２に示すリップカラー２８色、アイカラー１９色を施して写真撮影した。ここで、各図中、意味を併記していない記号は、ＶＩはバイオレットを、ＲＳは赤紫（以下、ローズという。）を、ＰＫはピンクを、ＲＤはレッドを、ＢＲはブラウンを、ＯＲはオレンジを、ＹＥはイエローを、ＧＹはグレーを、ＧＲはグリーンを、ＢＬはブルーを、ＭＮは無彩色を、それぞれ意味する。
【００１８】
すなわち、例えば、リップカラーに関していえば、色相についてバイオレット系からグレー系までの各色相を網羅し、トーンについてペールからディープまで幅広く用意した。
【００１９】
そして、リップカラーの実験の場合、口元以外は全く同じナチュラルメークとし、リップカラーの違いによるイメージの変化だけがみてとれるようにした。同様に、アイカラーの実験の場合、目元以外は全く同じナチュラルメークとした。カラーイメージの判定は、一般女性モニター３０名と美容技術者３１名とを被験者として行った。なお、被験者の年齢の分布は一般女性モニターと美容技術者とで同じになるように構成した。
【００２０】
カラーイメージの判定項目は図３に示すアンケート表のとおりである。この場合、カラーイメージを表現する言葉（文言）は、本出願人が検討した前記顔だち分類法および顔だちマップのときに用いたものと類似とした。メーキャップカラーイメージ分類法およびメーキャップカラーイメージマップと顔だち分類法および顔だちマップとを関係付けて判断し、両分類法および両マップを併用して効果的なメーキャップの演出を行うことが出来るように考慮したものである。このため、以下に説明するカラーイメージマップの２つの座標軸、温感・涼感、性格、マインドから選ばれる少なくとも１つを示すカラーイメージ指標の軸（以下、代表例として、温感・涼感軸という。）と軽快・重厚、成熟・未熟、マチュアーから選ばれる少なくとも１つを示すカラーイメージ指標の軸（以下、代表例として、軽快・重厚という。）は、顔だちマップのときにバランス軸とフォルム軸とで画成される各象限に位置する顔のもつイメージを表現する言葉に置き換えたもの（図９参照）の２軸と同一とした。なお、この場合、カラーイメージマップと顔だちマップの２軸を重ねることなく座標軸を回転させたマップであってもよく、さらにまた、カラーイメージを表現する多数の言葉を顔だちマップのときに用いた言葉とは無関係に設定し、得られたデータを顔だちマップのときと同様に因子分析等の統計的手法によって解析し、新たなイメージ軸を設定してもよい。また、この実施例では、上記した観点から座標軸として２軸を設定したが、これに限らず、３軸以上を設定してより多次元的、多面的に評価してもよい。
【００２１】
アンケート結果は、「そう思う」を２点、「ややそう思う」を１点として各カラーイメージを表現する言葉毎に得点を集計し、それに基づいて、各カラーを各カラーイメージを表現する言葉のもつ方向性と得点にしたがって上記した２つの座標軸を設定したマップ上に配置した。
【００２２】
図４〜図６に、リップカラーのメーキャップカラーイメージマップを示す。この場合、一般女性モニターと美容技術者のアンケート結果をそれぞれ解析し、さらに各解析結果を総合的に解析して１つのマップを作成した。なお、前者に関して、一般女性モニターと美容技術者のアンケート結果とを別々に解析した２つマップも作成しており、この２つのマップをみると、例えば、後者の美容技術者のマップの場合、前者の一般女性モニターのマップと比べて各カラーが横軸（軽快・重厚軸）方向に幅広く分布している等の差異もあり、２つのマップを作成して用いることによる有意義な結果が得られるが、本発明のメーキャップカラーイメージマップを実際にメーキャップの演出に用いる場合は、全部のデータを総合的に評価し、マップ上で各カラー毎にゾーン表示してある程度の幅を持たせ、カラー選択に自由度を持たせるほうが実用的であると考えられる。
【００２３】
図を３つにわけたのは、上記により、各カラー毎に幅のあるゾーン表示を行ったため、１つのマップに全カラーを表示すると複数のカラーのゾーンが重なってしまい不都合なためである。
【００２４】
図４の赤みとともに青みを含んだピンク・ローズ系のマップをみると、第１象限（例えば、可愛らしいイメージの位置するゾーン）から第４象限（例えば、女らしいイメージの位置するゾーン）にかけて、薄い色、明るい色は第１象限に、濃い色、はっきりした色は第４象限に分布していることがわかる。
【００２５】
図５のオレンジ・レッド系のマップをみると、カラーの分布が上記ピンク・ローズ系に比べて左側、すなわち、マップの中央側にシフトし、縦長に広がっていることがわかる。
【００２６】
図６の赤みの少ないブラウン・グレー系のマップをみると、カラーの分布が上記オレンジ・レッド系に比べてさらに左側にシフトし、縦長に広がっており、第３象限（例えば、シャープなイメージの位置するゾーン）のイメージが強いことがわかる。
【００２７】
図７にアイカラーのメーキャップカラーイメージマップを示す。この場合も上記リップカラーの場合と同様の手順によってデータの解析と整理を行って、各カラー毎にゾーン表示した。
【００２８】
図７をみると、第１象限（可愛らしいイメージの位置するゾーン）にはイエロー等のきれいで明るいカラーが位置し、第２象限（例えば、さわやかなイメージの位置するゾーン）にはごく淡い無彩色やブラウンなどほとんどホワイトに近いカラーが位置し、第３象限（シャープなイメージの位置するゾーン）にはブラウンや無彩色の濃いめやブラック等の赤みがないか、あるいは赤みが少なくて、ある程度濃さのあるカラーが位置し、第４象限（女らしいイメージの位置するゾーン）には濃いピンクやバイオレット等の適度な赤みをもち、特に、青みを含んだカラーが位置していることがわかる。これに対して、ブルーと青みのグリーンは図のほぼ中央に位置している。
【００２９】
総じて、アイカラーのメーキャップカラーイメージマップはリップカラーのイメージマップとほぼ同様の傾向を示しているといえる。
【００３０】
なお、この結果を色彩学の観点からみれば、青みのカラーは寒色系、すなわち、涼しさを感じさせるおだやかな色であるため、マップの左側、第２象限および第３象限に位置するのが適当であると考えられるが、マップ上のメーキャップカラーイメージとしては青みのカラーは図中ほぼ中央に位置している。これは、アイメークやリップメークの背景には常に肌のカラーが存在しているためである。すなわち、ブルーとくすんだオレンジである肌のカラーとは色彩学上の補色の関係にあり、ブルーは肌のカラーに対して目立つカラーであるため、メーキャップカラーイメージとしては、ブルーの本来的なイメージであるさわやか、クールといったイメージを与えるとともに可愛い、華やかといった逆のイメージをも与えるものと考えられる。つまり、ブルー系のカラーはちょっとしたトーンや質感の違いで様々なイメージを演出しうる可能性を秘めており、この点において、メーキャップのときのカラーイメージと色彩学上のカラーイメージとは顕著に相違する場合もある。
【００３１】
つぎに、上記のようにマップ化されるリップカラーとアイカラーとを組み合わせたときのカラーイメージについても実験を行った。結果のみを図８に示す。
【００３２】
図８をみると、第１象限（可愛らしいイメージの位置するゾーン）には、ピンクのアイカラーとピンクのペールのリップカラーの組み合わせが位置し、第２象限（さわやかなイメージの位置するゾーン）にはホワイトパールのアイカラーとオレンジのペールのリップカラーの組み合わせが位置し、第３象限（シャープなイメージの位置するゾーン）には無彩色の濃いアイカラーと濃いブラウンのリップカラーの組み合わせが位置し、第４象限（女らしいイメージの位置するゾーン）にはピンク系の濃いアイカラーとローズのモデレートなリップカラーの組み合わせが位置している。
【００３３】
このことは、実用的には、それぞれのマップの同じ象限に配置されたリップカラーとアイカラーとを組み合わせて用いれば、顔全体としてもその象限のイメージを表現することができることを意味する。
【００３４】
なお、図１２に、上記各座標軸で区画される各象限に位置する代表的なカラーイメージについて、さらに詳細に示す。この図１２と上記図４〜図８を対比、参照することにより、カラーイメージを容易、かつ的確に把握することができ、メーキャップを効果的に演出することが可能となる。
【００３５】
以上説明したように、本発明のメーキャップカラーイメージマップはリップカラーまたはアイカラーのいずれか単独でメーキャップを演出するとき、あるいはこれらを組み合わせてメーキャップを演出するときに有用であることは勿論のこと、さらに、前記した顔だち分類法および顔だちマップと組み合わせてメーキャップを演出すると、一層効果的にメーキャップを演出することができる。
【産業上の利用可能性】
【００３６】
本発明は、顔にメーキャップを施して、すなわち、色を肌にのせて、得られるメーキャップカラーイメージをマップ表現したメーキャップカラーイメージマップに関するものであり、産業上、利用できる発明である。
【図面の簡単な説明】
【００３７】
【図１】本実施の形態例に係るメーキャップカラーイメージ分類法において、実験に用いたリップカラーの一覧表である。
【図２】本実施の形態例に係るメーキャップカラーイメージ分類法において、実験に用いたアイカラーの一覧表である。
【図３】本実施の形態例に係るメーキャップカラーイメージ分類法において用いた評価項目を示したアンケート表である。
【図４】本実施の形態例に係るピンク・ローズ系リップカラーのメーキャップカラーイメージマップである。
【図５】本実施の形態例に係るオレンジ・レッド系リップカラーのメーキャップカラーイメージマップである。
【図６】本実施の形態例に係るブラウン・無彩色系リップカラーのメーキャップカラーイメージマップである。
【図７】本実施の形態例に係るアイカラーのメーキャップカラーイメージマップである。
【図８】本実施の形態例に係るリップカラーとアイカラーとを組み合わせたときのメーキャップカラーイメージマップである。
【図９】本出願人が既に提案した顔だちマップである。
【図１０】カラーとイメージとの関係についての従来の知見の一例を示す表である。
【図１１】色感覚の三属性を三軸にとった色立体を示す図である。
【図１２】本実施の形態例に係るアイカラーのメーキャップカラーイメージマップの各象限に位置する代表的なカラーイメージを文言表示したマップである。
【図１】
0004477034.tif 000002
【図２】
0004477034.tif 000003
【図３】
0004477034.tif 000004
【図４】
0004477034.tif 000005
【図５】
0004477034.tif 000006
【図６】
0004477034.tif 000007
【図７】
0004477034.tif 000008
【図８】
0004477034.tif 000009
【図９】
0004477034.tif 000010
【図１０】
0004477034.tif 000011
【図１１】
0004477034.tif 000012
【図１２】
0004477034.tif 000013